(57)【要約】【課題】本発明は、タッチスクリーンパネル及びその製造方法に関し、より詳細には、防湿性に優れたタッチスクリーンパネル及びその製造方法に関する。【解決手段】本発明に係るタッチスクリーンパネルは、第１基板、タッチセンサー部及び第２光学接着剤が順次積層されたタッチモジュールを提供する第１段階と、上記第２光学接着剤と上記第１基板との周縁間に上記第２光学接着剤の周縁に残存する保護フィルムを媒介として超音波融着又は熱融着を施してシール部を形成する第２段階と、を含んで製造されることができる。【選択図】図２
2015079477.tif 000002
【特許請求の範囲】
【請求項１】
第１基板、タッチセンサー部及び第２光学接着剤が順次積層されたタッチモジュールと、
前記第１基板と前記第２光学接着剤との周縁間に設けられ、前記タッチセンサー部の周縁を密封するシール部と、を含む、タッチスクリーンパネル。
【請求項２】
前記第１基板と前記タッチセンサー部との間には第１光学接着剤が介在される、請求項１に記載のタッチスクリーンパネル。
【請求項３】
前記第１基板及び前記第２光学接着剤は、前記タッチセンサー部及び前記第１光学接着剤より大きい面積を有し、前記タッチセンサー部及び前記第１光学接着剤の周縁より外側に突出するように設けられる、請求項２に記載のタッチスクリーンパネル。
【請求項４】
前記タッチモジュールは、前記第２光学接着剤において前記タッチセンサー部が設けられる面の反対面に設けられる第２基板をさらに含む、請求項１から３のいずれか１項に記載のタッチスクリーンパネル。
【請求項５】
前記第１及び第２光学接着剤は、透明なものである、請求項２または３に記載のタッチスクリーンパネル。
【請求項６】
前記シール部はプラスチック材質であり、
前記プラスチック材質は、再結晶化されたランダム構造を有する、請求項１から５のいずれか１項に記載のタッチスクリーンパネル。
【請求項７】
前記タッチセンサー部は、前記第１基板に一体に設けられる、請求項１から６のいずれか１項に記載のタッチスクリーンパネル。
【請求項８】
第１基板、タッチセンサー部及び第２光学接着剤が順次積層されたタッチモジュールを提供する第１段階と、
前記第２光学接着剤と前記第１基板との周縁間に、前記第２光学接着剤の周縁に残存した保護フィルムを媒介として超音波融着又は熱融着を施してシール部を形成する第２段階と、を含む、タッチスクリーンパネルの製造方法。
【請求項９】
前記第１段階は、
前記タッチセンサー部に前記第２光学接着剤を付着する過程において、前記第２光学接着剤において前記タッチセンサー部の周縁の外側に突出する部分の保護フィルムは残し、前記タッチセンサー部と前記第２光学接着剤が積層方向に重なる部分の保護フィルムだけ除去する第１−２段階を含む、請求項８に記載のタッチスクリーンパネルの製造方法。
【請求項１０】
前記第１段階は、
前記第１基板と前記タッチセンサー部との間に第１光学接着剤を介在することを含む、請求項８または９に記載のタッチスクリーンパネルの製造方法。
【請求項１１】
前記第１基板及び前記第２光学接着剤は、前記タッチセンサー部及び前記第１光学接着剤より大きい面積を有し、前記タッチセンサー部及び前記第１光学接着剤の周縁より外側に突出するように設けられる、請求項１０に記載のタッチスクリーンパネルの製造方法。
【請求項１２】
前記第２光学接着剤において前記タッチセンサー部が設けられる面の反対面に第２基板をさらに積層する第３段階をさらに含む、請求項８から１１のいずれか１項に記載のタッチスクリーンパネルの製造方法。
【請求項１３】
前記シール部はプラスチック材質であり、
前記プラスチック材質は、前記超音波融着又は前記熱融着により分子配向された結晶化構造から再結晶化されたランダム構造に変形される、請求項８から１２のいずれか１項に記載のタッチスクリーンパネルの製造方法。
【請求項１４】
前記第１及び第２光学接着剤は透明なものである、請求項１０または１１に記載のタッチスクリーンパネルの製造方法。
【請求項１５】
前記タッチセンサー部は、前記第１基板に一体に設けられる、請求項８から１４のいずれか１項に記載のタッチスクリーンパネルの製造方法。
【発明の詳細な説明】
【技術分野】
【０００１】
本発明は、タッチスクリーンパネル及びその製造方法に関し、より詳細には、防湿性に優れたタッチスクリーンパネル及びその製造方法に関する。
【背景技術】
【０００２】
タッチスクリーン、タッチパッドなどのような接触感知装置は、ディスプレイ装置に付着されてユーザーに直感的な入力方法を提供することができる入力装置であり、最近では、携帯電話、ＰＤＡ（Ｐｅｒｓｏｎａｌ  Ｄｉｇｉｔａｌ  Ａｓｓｉｓｔａｎｔ）、ナビゲーションなどのような多様な電子機器に広く適用されている。特に、スマートフォンへの需要が増加するにつれ、制限されたフォームファクタで多様な入力方法を提供することができるタッチスクリーンの採用率が増加し続けている。
【０００３】
携帯用機器に適用されるタッチスクリーンは、タッチ入力を感知する方法によって抵抗膜方式（Ｒｅｓｉｓｔｉｖｅ）、静電容量方式（Ｃａｐａｃｉｔｉｖｅ）、赤外線方式（ＩＲ）などに大別することができる。このうち、静電容量方式は、相対的に寿命が長く、様々な入力方法とジェスチャーを容易に具現できるという長所により、その適用率が高まり続けている。特に、静電容量方式は、抵抗膜方式に比べてマルチタッチインターフェースを容易に具現することができるため、スマートフォンなどの機器に幅広く適用される。
【０００４】
静電容量方式のタッチスクリーンは、一定のパターンを有する複数の電極を含み、ディスプレイ装置の有効表示領域に該当するタッチスクリーン領域のほとんどに電極が形成される必要があり、タッチ入力を感知するためには複数の電極が一定のパターンを有さなければならない。
【０００５】
従来、静電容量方式では、タッチスクリーンパネルの透明電極としてインジウムスズ酸化物（Ｉｎｄｉｕｍ  Ｔｉｎ  Ｏｘｉｄｅ、以下、ＩＴＯ）が最も用いられていた。しかし、ＩＴＯを使用するにあたり、次のような短所がある。
【０００６】
まず、ＩＴＯは、制限されたインジウム資源により、世界的に急増している需要でＩＴＯ物質自体の円滑な供給が困難な状態であり、資源枯渇が近づいていると予想されるため原材料による材料コストの上昇が見込まれる。
【０００７】
また、ＣｕとＮｉのような金属薄膜が用いられた電極のシート抵抗（１ｏｈｍ／ｓｑ未満）と比較してＩＴＯのシート抵抗（〜数百ｏｈｍｓ／ｓｑ）が相対的に高くて電力消費量が増加する可能性があり、携帯機器において益々小さいタッチ分解能が求められるにつれ、電極パターンが微細となり、抵抗が増加してその使用に制約要素となっている。
【０００８】
なお、ＩＴＯの主な特徴は、電気伝導率と光学的透明度が結合されている点であることから、薄膜を厚くすると、金属の伝導率は高くなるが、光学的透明度は減少するため、薄い薄膜（＜１００ｎｍ）を適用する。このような薄い薄膜に対する均一なパターニングのためには、エッチングを施す方法として高価のレーザー（ｌａｓｅｒ）エッチング装置が用いられている。
【０００９】
上記の限界を克服するタッチスクリーンを生産すべく、銅（Ｃｕ）、ニッケル（Ｎｉ）などの金属薄膜を用いて微細線幅を有するメッシュ（ｍｅｓｈ）パターンを形成することで、低いシート抵抗を有する透明電極を作製するための開発が続いている。金属は基本的に不透明であるが、メッシュ（ｍｅｓｈ）パターンの線幅を光学的に視認できないほど十分に狭く形成する。
【００１０】
しかし、銅（Ｃｕ）の場合、電気伝導性に優れ、経済的であるという長所があるが、ＩＴＯに比べて湿気などの浸透による腐食に弱いという問題点がある。
【００１１】
図１は従来技術によるタッチスクリーンパネルの断面図である。図１を参照すると、第１基板１０、タッチセンサー部２及び第２基板３が順次積層されたタッチモジュールは、側面部に設けられるシール部４によって湿気などから保護されることができる。しかし、上記シール部４は、下部から上部に向かって厚さが減少する構造に設けられているため、上部の部分は湿気の浸透に弱いという短所があった。
【００１２】
また、上記シール部は、粘着剤の塗布によって形成されることが一般的であるが、粘着剤を塗布すること自体が容易でなく、粘着剤の硬化時間が長くて生産性に劣るという問題点があった。なお、粘着剤の塗布量及び塗布方法によってはシーリングが不十分な箇所が生じる可能性があるため、水分／異物などの浸透などを完璧に遮断できないおそれがあり、問題として指摘されている。
【発明の概要】
【発明が解決しようとする課題】
【００１３】
本発明は、上述した問題点を解消するためのものであり、タッチモジュールの側面部に設けられるシール部の堅固性を高めることができるタッチスクリーンパネルを提供することを目的とする。
【００１４】
また、シール部の堅固性を高めながらもシール部の形成方式が非常に簡単なタッチスクリーンパネルの製造方法を提供することを目的とする。
【課題を解決するための手段】
【００１５】
本発明の一実施例によるタッチスクリーンパネルは、第１基板、タッチセンサー部及び第２光学接着剤が順次積層されたタッチモジュールと、上記第１基板と上記第２光学接着剤との周縁間に設けられ、上記タッチセンサー部の周縁を密封するシール部と、を含むことができる。
【００１６】
本発明の一実施例によるタッチスクリーンパネルにおいて、上記第１基板と上記タッチセンサー部との間には第１光学接着剤が介在されることができる。
【００１７】
本発明の一実施例によるタッチスクリーンパネルにおいて、上記第１基板及び上記第２光学接着剤は、上記タッチセンサー部及び上記第１光学接着剤より大きい面積を有し、上記タッチセンサー部及び上記第１光学接着剤の周縁より外側に突出するように設けられることができる。
【００１８】
本発明の一実施例によるタッチスクリーンパネルにおいて、上記タッチモジュールは、上記第２光学接着剤において上記タッチセンサー部が設けられる面の反対面に設けられる第２基板をさらに含むことができる。
【００１９】
本発明の一実施例によるタッチスクリーンパネルにおいて、上記第１及び第２光学接着剤は、透明なものであることができる。
【００２０】
本発明の一実施例によるタッチスクリーンパネルにおいて、上記シール部はプラスチック材質であり、上記プラスチック材質は、再結晶化されたランダム構造を有することができる。
【００２１】
本発明の一実施例によるタッチスクリーンパネルにおいて、上記タッチセンサー部は、上記第１基板に一体型に設けられることができる。
【００２２】
本発明の一実施例によるタッチスクリーンパネルの製造方法は、第１基板、タッチセンサー部及び第２光学接着剤が順次積層されたタッチモジュールを提供する第１段階と、上記第２光学接着剤と上記第１基板との周縁間に上記第２光学接着剤の周縁に残存する保護フィルムを媒介として超音波融着又は熱融着を施してシール部を形成する第２段階と、を含むことができる。
【００２３】
本発明の一実施例によるタッチスクリーンパネルの製造方法において、上記第１段階は、上記タッチセンサー部に上記第２光学接着剤を付着する過程において、上記第２光学接着剤において上記タッチセンサー部の周縁の外側に突出する部分の保護フィルムは残し、上記タッチセンサー部と上記第２光学接着剤が積層方向に重なる部分の保護フィルムだけ除去する第１−２段階を含むことができる。
【００２４】
本発明の一実施例によるタッチスクリーンパネルの製造方法において、上記第１段階は、上記第１基板と上記タッチセンサー部との間に第１光学接着剤を介在することを含むことができる。
【００２５】
本発明の一実施例によるタッチスクリーンパネルの製造方法において、上記第１基板及び上記第２光学接着剤は、上記タッチセンサー部及び上記第１光学接着剤より大きい面積を有し、上記タッチセンサー部及び上記第１光学接着剤の周縁より外側に突出するように設けられることができる。
【００２６】
本発明の一実施例によるタッチスクリーンパネルの製造方法において、上記第２光学接着剤において上記タッチセンサー部が設けられる面の反対面に第２基板をさらに積層する第３段階をさらに含むことができる。
【００２７】
本発明の一実施例によるタッチスクリーンパネルの製造方法において、上記シール部はプラスチック材質であり、上記プラスチック材質は、上記超音波融着又は上記熱融着により分子配向された結晶化構造から再結晶化されたランダム構造に変形されることができる。
【００２８】
本発明の一実施例によるタッチスクリーンパネルの製造方法において、上記タッチセンサー部は、上記第１基板に一体型に設けられることができる。
【発明の効果】
【００２９】
本発明によると、タッチモジュールの側面部に設けられるシール部の堅固性を高めることができるタッチスクリーンパネルを提供することができる。
【００３０】
また、シール部の堅固性を高めながらもシール部の形成方式が非常に簡単なタッチスクリーンパネルの製造方法も提供することができる。
【図面の簡単な説明】
【００３１】
【図１】従来技術によるタッチスクリーンパネルの断面図である。
【図２】本発明の一実施例によるタッチスクリーンパネルの断面図である。
【図３】本発明の一実施例に用いられる光学接着剤の加工前の構造を示す断面図である。
【図４】本発明の一実施例に用いられる光学接着剤を使用するために加工された構造を示す断面図である。
【図５ａ】本発明の一実施例によるタッチスクリーンパネルを製造する過程を示す断面図である。
【図５ｂ】本発明の一実施例によるタッチスクリーンパネルを製造する過程を示す断面図である。
【図５ｃ】本発明の一実施例によるタッチスクリーンパネルを製造する過程を示す断面図である。
【発明を実施するための形態】
【００３２】
以下では、添付の図面を参照して本発明の好ましい実施例について説明する。しかし、本発明の実施例は様々な他の形態に変形されることができ、本発明の範囲は以下で説明する実施例に限定されない。また、本発明の実施例は、当該技術分野で平均的な知識を有する者に本発明をより完全に説明するために提供されるものである。したがって、図面における要素の形状及び大きさなどはより明確な説明のために誇張されることがある。
【００３３】
図２は本発明の一実施例によるタッチスクリーンパネルの断面図である。
【００３４】
図２を参照すると、本発明の一実施例によるタッチスクリーンパネル１００は、第１基板１０、タッチセンサー部２０及び第２光学接着剤５３が順次積層されたタッチモジュールと、上記第１基板１０と上記第２光学接着剤５３との周縁間に設けられ、上記タッチセンサー部の周縁を密封するシール部４０と、を含むことができる。ここで、上記第１基板１０と上記タッチセンサー部２０との間には第１光学接着剤５１が介在されて上記第１基板１０と上記タッチセンサー部２０を接着することができる。
【００３５】
また、上記タッチモジュールは、上記第２光学接着剤５３において上記タッチセンサー部２０が設けられる面の反対面に設けられる第２基板３０をさらに含むことができる。
【００３６】
本明細書において、上、下、上部、下部、上側、下側、左、右、左側、右側、側面などの表現は、図面における図示に基づいたものであり、当該対象の方向が変更された場合には他の表現を用いてもよいことを明記しておく。
【００３７】
上記第１基板１０及び第２基板３０は、透明な基板であってもよく、ＰＩ（Ｐｏｌｙｉｍｉｄｅ）、ＰＭＭＡ（Ｐｏｌｙｍｅｔｈｙｌｍｅｔｈａｃｒｙｌａｔｅ）、ＰＥＴ（Ｐｏｌｙｅｔｈｙｌｅｎｅｔｅｒｅｐｈｔｈａｌａｔｅ）、ＰＣ（Ｐｏｌｙｃａｒｂｏｎａｔｅ）のようなプラスチック材料又は強化ガラス（ｔｅｍｐｅｒｅｄ  ｇｌａｓｓ）からなることができる。また、上記タッチセンサー部２０に設けられる複数の第１電極（図示せず）及び第２電極（図示せず）が形成される領域以外に、複数の第１電極（図示せず）及び第２電極（図示せず）と連結される配線が設けられる領域については、通常、不透明な金属物質からなる配線を視覚的に遮蔽するための所定の印刷領域が基板に形成されることができる。
【００３８】
また、上記第１基板１０は、上記タッチセンサー部２０及び上記第１光学接着剤５１より大きい面積を有し、上記タッチセンサー部２０及び上記第１光学接着剤５１の周縁より外側に突出するように設けられることができる。
【００３９】
以下で詳述するが、上記シール部４０は、上記第１基板１０と上記第２光学接着剤５３との周縁間に設けられ、上記タッチセンサー部２０の周縁を密封するため、上記第１基板１０の周縁部分は、上記タッチセンサー部２０及び上記第１光学接着剤５１の周縁部分より外側に突出していなければならない。
【００４０】
上記タッチセンサー部２０は、基板に第１電極（図示せず）及び第２電極（図示せず）が交差して形成する金属メッシュ（ｍｅｓｈ）電極がパターニングされたものであることができる。上記金属メッシュ（ｍｅｓｈ）電極（図示せず）は、ＩＴＯ（Ｉｎｄｉｕｍ  Ｔｉｎ  Ｏｘｉｄｅ）以外に、メタル材質である銅（Ｃｕ）、ニッケル（Ｎｉ）又はＡｌ（アルミニウム）などの単独又は合金からなることができる。上記基板は、プリント回路基板又はフレキシブルプリント回路基板（ＦＰＣＢ）であることができる。ここで、上記タッチセンサー部２０は、別の基板に第１電極及び第２電極がパターニングされたものであってもよく、上記第１基板１０に第１電極及び第２電極がパターニングされたもの、即ち、上記第１基板１０に一体に設けられたものであってもよい。
【００４１】
上記金属メッシュ（ｍｅｓｈ）電極は、５〜２０μｍの線幅を有することができる。線幅が５μｍ未満の場合にはタッチスクリーンパネルの不良率が増加するという問題があり、２０μｍを超える場合には肉眼で認識されるという問題がある。また、上記複数の第１電極（図示せず）間の間隔又は上記複数の第２電極（図示せず）間の間隔は２００μｍ以上であることができる。間隔が２００μｍ未満の場合には透過性が低下するという問題があり得る。
【００４２】
一方、上記金属メッシュ電極は、銅（Ｃｕ）、ニッケル（Ｎｉ）又はＡｌ（アルミニウム）などの単独又は合金からなるため、湿気などによる腐食に弱いという短所がある。
【００４３】
また、図２に示されてはいないが、複数の第１及び第２電極（図示せず）それぞれは、配線及びボンディングパッドを介して基板の一端に付着される回路基板の配線パターンと電気的に連結されることができる。回路基板にはコントローラー集積回路が実装されることで、複数の第１及び第２電極から生成される感知信号を検出し、それよりタッチ入力を判断することができる。
【００４４】
また、上記タッチセンサー部２０は、上記第１基板１０より小さい面積を有し、且つ上記第１基板１０の周縁より内側に周縁が位置しなければならない。
【００４５】
以下で詳述するが、上記シール部４０は、上記第１基板１０と上記第２光学接着剤５３との周縁間に設けられ、上記タッチセンサー部２０の周縁を密封するため、上記タッチセンサー部２０の周縁部分は、第１基板１０の周縁部分より内側に位置しなければならない。
【００４６】
上記第１基板１０と上記タッチセンサー部２０との間及び上記タッチセンサー部２０と上記第２基板３０との間には、それぞれ第１及び第２光学接着剤（Ｏｐｔｉｃａｌ  Ｃｌｅａｒ  Ａｄｈｅｓｉｖｅ、ＯＣＡ）５１、５３が介在されることで、上下基板を相互接着することができる。上記第１及び第２光学接着剤５１、５３は、透明であることができ、絶縁物質で形成されて上下基板を電気的に絶縁させることができる。
【００４７】
一方、上記タッチセンサー部２０は、上記第１基板１０に一体に形成されてもよい。また、上記第１基板１０と上記タッチセンサー部２０との間には別の接着剤が介在されていなくてもよい。
【００４８】
ここで、上記第２光学接着剤５３は、上記タッチセンサー部２０及び上記第１光学接着剤５１より大きい面積を有し、上記タッチセンサー部２０及び上記第１光学接着剤５１の周縁より外側に突出するように設けられることができる。
【００４９】
以下で詳述するが、上記シール部４０は、上記第１基板１０と上記第２光学接着剤５３との周縁間に設けられ、上記タッチセンサー部２０の周縁を密封するため、上記第１基板１０の周縁部分は、上記タッチセンサー部２０及び上記第１光学接着剤５１の周縁部分より外側に突出していなければならない。
【００５０】
上記シール部４０は、上記タッチモジュールの側面部に設けられることができる。上記シール部４０は、上記タッチセンサー部２０及び上記第１光学接着剤５１の側面に沿って積層方向に上記タッチセンサー部２０及び上記第１光学接着剤５１の側面を密封するように設けられることができる。即ち、上記シール部４０は、下部から上部に向かって厚さがほぼ一定に維持されることができる。
【００５１】
上記シール部４０は、上記第２光学接着剤５３を上記タッチセンサー部２０に付着する過程で残った保護フィルム５３ｂを用いて形成することができる。これについては、図３及び図４を参照して詳述する。
【００５２】
図３は本発明の一実施例に用いられる光学接着剤の加工前の構造を示す断面図であり、図４は本発明の一実施例に用いられる光学接着剤を使用するために加工された構造を示す断面図である。
【００５３】
図３を参照すると、本発明の一実施例による第１及び第２光学接着剤５１、５３は、粘着テープ５１ａ、５３ａと、その両面に上記粘着テープ５１ａ、５３ａの粘着力を保護するために設けられる保護フィルム５１ｂ、５１ｃ、５３ｂ、５３ｃと、を含むことができる。
【００５４】
第１及び第２光学接着剤５１、５３は、基本的に二つの媒体を接着するためのもので、二つの媒体を接着する過程において上記粘着テープ５１ａ、５３ａの両面に設けられる保護フィルム５１ｂ、５１ｃ、５３ｂ、５３ｃを除去した後、上記粘着テープ５１ａ、５３ａを両面テープとして活用することで、二つの媒体間に介在させて二つの媒体を接着することができる。勿論、保護フィルムのうち、上記粘着テープ５１ａ、５３ａのいずれか一面にあるものだけ除去した後、上記第１及び第２光学接着剤５１、５３を所定媒体の表面に付着してもよい。
【００５５】
図４には、本発明の一実施例による第２光学接着剤５３が上記タッチセンサー部２０の一面に付着される過程において用いられる構造が示されている。
【００５６】
図４に示された第２光学接着剤５３は、粘着テープ５３ａと、上記粘着テープ５３ａの周縁部分に沿って一面に設けられる保護フィルム５３ｂ、５３ｃと、を含むことができる。上記保護フィルム５３ｂ、５３ｃとして粘着テープ５３ａを中心に両面のいずれか一面の保護フィルム５３ｂ、５３ｃを用いることができる。ここで、上記保護フィルム５３ｂ、５３ｃにおいて、上記粘着テープ５３ａの周縁部分以外の中央部分、即ち、上記タッチセンサー部２０が付着される部分は除去されることができる。これにより、上記タッチセンサー部２０に上記第２光学接着剤５３が付着されることができる。
【００５７】
また、上記粘着テープ５３ａの周縁部分に設けられる上記保護フィルム５３ｂ、５３ｃは、シール部４０を形成するのに用いられることができる。
【００５８】
即ち、上記の通り、第１基板１０と第２光学接着剤５３との間にはタッチセンサー部２０及び第１光学接着剤５１が介在され、これらの側面部は上記シール部４０によって密封される。
【００５９】
これにより、本実施例では、上記第２光学接着剤５３が上記タッチセンサー部２０と接着される面のうち、上記タッチセンサー部２０が直接接着される部分以外の周縁部分の保護フィルム５３ｂ、５３ｃは残存することができる。また、上記第１基板１０の周縁と上記第２光学接着剤５３の周縁との間に上記第２光学接着剤５３の周縁に残存する保護フィルム５３ｂ、５３ｃを媒介として超音波融着又は熱融着を施してシール部４０を形成することができる。
【００６０】
ここで、上記保護フィルム５３ｂ、５３ｃはプラスチック（例えば、ＰＥＴ）材質であり、上記プラスチック材質は、上記超音波融着又は上記熱融着により分子配向した結晶化構造から再結晶化されたランダム構造に変形されて防湿効果に優れた上記シール部４０を形成することができる。
【００６１】
図５ａから図５ｃは本発明の一実施例によるタッチスクリーンパネルを製造する過程を示す断面図である。
【００６２】
図５ａから図５ｃを参照すると、本発明の一実施例によるタッチスクリーンパネルの製造方法は、第１基板１０、タッチセンサー部２０及び第２光学接着剤５３が順次積層されたタッチモジュールを提供する第１段階と、上記第２光学接着剤５３と上記第１基板１０との周縁間に上記第２光学接着剤５３の周縁に残存する保護フィルム５３ｂ又は５３ｃを媒介として超音波融着又は熱融着を施してシール部４０を形成する第２段階と、を含むことができる。ここで、上記第１基板１０と上記タッチセンサー部２０との間には第１光学接着剤５１が介在されることで、上記第１基板１０と上記タッチセンサー部２０とを接着することができる。
【００６３】
以下、タッチスクリーンパネル１００の構造及び構成については、図２を参照して詳述したもので代替し、タッチスクリーンパネルの製造方法について詳述する。
【００６４】
図５ａを参照すると、本発明の一実施例によるタッチスクリーンパネルの製造方法の第１段階は、第１基板１０、タッチセンサー部２０及び第２光学接着剤５３が順次積層されたタッチモジュールを提供する段階である。ここで、上記第１基板１０及び上記第２光学接着剤５３は、上記タッチセンサー部２０及び上記第１光学接着剤５１より大きい面積を有し、上記タッチセンサー部２０及び上記第１光学接着剤５１の周縁より外側に突出するように設けられることができる。
【００６５】
また、上記タッチセンサー部２０は、別の基板に第１電極及び第２電極がパターニングされたものであってもよく、上記第１基板１０に第１電極及び第２電極がパターニングされたもの、即ち、上記第１基板１０に一体に設けられたものであってもよい。
【００６６】
ここで、上記第１段階は、上記タッチセンサー部２０に上記第２光学接着剤５３を付着する過程において、上記第２光学接着剤５３において上記タッチセンサー部２０の周縁の外側に突出する部分の保護フィルム５３ｂ又は５３ｃは残し、上記タッチセンサー部２０と上記第２光学接着剤５３が積層方向に重なる部分の保護フィルム５３ｂ又は５３ｃだけ除去する第１−２段階を含むことができる。勿論、ここで、上記第１光学接着剤５１は、上記タッチセンサー部２０とほぼ同じサイズを有し、上記タッチセンサー部２０と積層方向に重なるように設けられることができる。
【００６７】
これにより、上記第２光学接着剤５３には、積層方向に上記タッチセンサー部２０が設けられる部分の周縁部分に沿って除去されていない保護フィルム５３ｂ又は５３ｃが残存する。
【００６８】
次に、図５ｂを参照すると、本発明の一実施例によるタッチスクリーンパネルの製造方法の第２段階は、上記第２光学接着剤５３と上記第１基板１０との周縁間に上記第２光学接着剤５３の周縁に残存する保護フィルム５３ｂ又は５３ｃを媒介として超音波融着又は熱融着を施してシール部を形成することができる。これは、上記第２光学接着剤５３の周縁に残存する保護フィルム５３ｂ又は５３ｃの部分に沿って上記第２光学接着剤５３の外側面の方向から超音波融着チップ又は熱融着チップ７０を用いて形成することができる。
【００６９】
勿論、上記第２光学接着剤５３の裏面に第２基板３０が先に付着されて設けられる場合には、上記第２光学接着剤５３の周縁に残存する保護フィルム５３ｂ又は５３ｃの部分に沿って上記第２基板３０の外側面の方向から超音波融着チップ又は熱融着チップ７０を用いて形成してもよい。
【００７０】
次に、図５ｃを参照すれば分かるように、超音波融着又は熱融着によりシール部４０が形成されたタッチスクリーンパネル１００が完成される。また、上記第２光学接着剤５３と上記第１基板１０との周縁間にはシール部４０が形成されることで、上記タッチセンサー部２０及び上記第１光学接着剤５１の側面を密封することができる。
【００７１】
以上、本発明の実施例について詳細に説明したが、本発明の権利範囲はこれに限定されず、特許請求の範囲に記載された本発明の技術的思想から外れない範囲内で多様な修正及び変形が可能であるということは、当技術分野の通常の知識を有する者には明らかである。
【符号の説明】
【００７２】
１０  第１基板
２０  タッチセンサー部
３０  第２基板
４０  シール部
５１  第１光学接着剤
５３  第２光学接着剤
１００  タッチスクリーンパネル
【図１】
2015079477.tif 000003
【図２】
2015079477.tif 000004
【図３】
2015079477.tif 000005
【図４】
2015079477.tif 000006
【図５ａ】
2015079477.tif 000007
【図５ｂ】
2015079477.tif 000008
【図５ｃ】
2015079477.tif 000009